(57)【特許請求の範囲】
【請求項１】
電圧を供給する外部電源に接続される照明制御装置と、
前記外部電源に接続される電力供給装置と、
前記電力供給装置を介して前記外部電源に接続される照明器具と
を備えた照明システムであって、
前記照明制御装置は、制御信号設定区間において前記電圧の波形が第１の切り欠きを有するように前記電圧の導通を制御する第１スイッチ部を備え、
前記電力供給装置は、
前記第１スイッチ部を介して伝送された前記電圧が供給される第１入力端子と、
前記外部電源から前記電圧が供給される第２入力端子と、
前記第２入力端子に供給された前記電圧の導通を制御する第２スイッチ部と、
前記第２スイッチ部に並列接続され、前記第２スイッチ部よりも低い抵抗値を有する第３スイッチ部と、
前記第１入力端子に供給された前記電圧に基づき、前記第２スイッチ部及び前記第３スイッチ部の動作を制御する処理部と
を備え、
前記第２スイッチ部は、前記制御信号設定区間において、前記第２入力端子に供給された前記電圧の波形が前記第１の切り欠きに対応する第２の切り欠きを有するように、前記第２入力端子に供給された前記電圧の導通を制御し、
前記第３スイッチ部は、少なくとも前記制御信号設定区間において非導通状態を維持し、
前記照明器具は、
前記第２スイッチ部及び前記第３スイッチ部の少なくとも一方を介して伝送された前記電圧に基づいて点灯負荷に電力を供給する点灯電力供給部と、
前記第２の切り欠きに基づいて、前記点灯電力供給部の動作を制御する制御信号を生成する信号生成部と
を備える、照明システム。
【請求項２】
前記処理部は、前記第１入力端子に供給された前記電圧に対応する信号を保存するバッファ部を備え、前記バッファ部に保存された前記信号を読み出して、前記第２スイッチ部の動作を制御する、請求項１に記載の照明システム。
【請求項３】
前記処理部は、前記バッファ部に保存された前記信号から前記制御信号設定区間の信号を読み出して、前記第２スイッチ部の動作を制御する、請求項２に記載の照明システム。
【請求項４】
前記処理部は、前記第１入力端子に供給された前記電圧に基づいて、前記バッファ部に前記制御信号設定区間の信号が保存されたと判断すると、前記第３スイッチ部を導通状態から非導通状態に遷移させた後、前記バッファ部から前記制御信号設定区間の信号を読み出す、請求項３に記載の照明システム。
【請求項５】
前記処理部は、前記第１入力端子に供給された前記電圧をパルス信号に変換する波形変換部を更に備え、
前記バッファ部は、前記第１入力端子に供給された前記電圧に対応する前記信号として、前記パルス信号を保存する、請求項２〜４のいずれか１項に記載の照明システム。
【請求項６】
前記外部電源から交流電圧が供給され、
前記波形変換部は、
前記第１入力端子に供給された前記交流電圧を整流する整流回路と、
前記整流回路の出力に基づいて前記パルス信号を生成する２値化回路と
を備える、請求項５に記載の照明システム。
【請求項７】
前記２値化回路は、前記整流回路の出力と閾値とを比較して、前記第１の切り欠きの有無に応じたパルス幅を有する前記パルス信号を生成し、
前記処理部は、前記パルス幅に基づいて、前記第２スイッチ部の動作を制御する、請求項６に記載の照明システム。
【請求項８】
前記処理部は、前記交流電圧のゼロクロスを検出するゼロクロス検出部を更に備え、
前記第２スイッチ部は、前記ゼロクロス検出部の検出結果に基づいて前記交流電圧の導通を制御する、請求項６又は７に記載の照明システム。
【請求項９】
前記交流電圧の半波において、前記半波が始まる前記ゼロクロスから該半波の位相角度９０度未満の位置まで該半波の波形が切り欠かれるように、前記第２スイッチ部が前記交流電圧の導通を制御する、請求項８に記載の照明システム。
【請求項１０】
前記第２スイッチ部は、前記第２入力端子に供給された前記電圧の波形が、前記第２の切り欠きとして、前記第１の切り欠きと同じ切り欠きを有するように、前記第２入力端子に供給された前記電圧の導通を制御する、請求項１〜９のいずれか１項に記載の照明システム。
【請求項１１】
前記第２スイッチ部は、前記第３スイッチ部が導通状態である間、導通状態を維持する、請求項１〜１０のいずれか１項に記載の照明システム。
【請求項１２】
前記照明器具を複数個備え、
前記複数個の照明器具が並列接続される、請求項１〜１１のいずれか１項に記載の照明システム。
【請求項１３】
前記第１スイッチ部は、半導体スイッチを含み、
前記第２スイッチ部は、半導体スイッチを含み、
前記第３スイッチ部は、リレースイッチを含む、請求項１〜１２のいずれか１項に記載の照明システム。
【発明の詳細な説明】
【技術分野】
【０００１】
本発明は、照明システムに関する。
【背景技術】
【０００２】
近年、照明光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の調光方式には、例えば、位相制御方式、信号線方式、ＰＬＣ（Ｐｏｗｅｒ  Ｌｉｎｅ  Ｃｏｍｍｕｎｉｃａｔｉｏｎ）方式、無線方式がある。このうち位相制御方式は、ＬＥＤ照明器具に供給する交流電圧の位相を調整して調光する方式であり、トライアック（双方向サイリスタ）を使用することから、トライアック調光方式とも呼ばれる（例えば、特許文献１参照。）。
【０００３】
具体的には、トライアック調光方式では、交流電圧がゼロクロスポイントから所定の位相角に達するまでトライアックがオフ状態となり、ＬＥＤ照明器具への給電経路が遮断される。そして、交流電圧が所定の位相角に達して以後、トライアックがオン状態（導通状態）となり、ＬＥＤ照明器具への給電経路が導通する。以上のようにトライアック調光方式では、照明器具への給電が常にトライアックを介して行われる。
【先行技術文献】
【特許文献】
【０００４】
【特許文献１】特開２０１３−１４５６６２号公報
【発明の概要】
【発明が解決しようとする課題】
【０００５】
しかしながらトライアックは、比較的大きな抵抗値を有するスイッチ素子である。このためトライアック調光方式では、照明器具へ供給する電力の損失が問題となる。
【０００６】
本発明は、上記問題に鑑み、照明器具へ供給する電力の損失を抑制できる照明システムを提供することを目的とする。
【課題を解決するための手段】
【０００７】
本願に開示する照明システムは、電圧を供給する外部電源に接続される照明制御装置と、前記外部電源に接続される電力供給装置と、前記電力供給装置を介して前記外部電源に接続される照明器具とを備える。前記照明制御装置は、制御信号設定区間において前記電圧の波形が第１の切り欠きを有するように前記電圧の導通を制御する第１スイッチ部を備える。前記電力供給装置は、第１入力端子と、第２入力端子と、第２スイッチ部と、第３スイッチ部と、処理部とを備える。前記第１入力端子には、前記第１スイッチ部を介して伝送された前記電圧が供給される。前記第２入力端子には、前記外部電源から前記電圧が供給される。前記第２スイッチ部は、前記第２入力端子に供給された前記電圧の導通を制御する。前記第３スイッチ部は、前記第２スイッチ部に並列接続され、前記第２スイッチ部よりも低い抵抗値を有する。前記処理部は、前記第１入力端子に供給された前記電圧に基づき、前記第２スイッチ部及び前記第３スイッチ部の動作を制御する。また、前記第２スイッチ部は、前記制御信号設定区間において、前記第２入力端子に供給された前記電圧の波形が前記第１の切り欠きに対応する第２の切り欠きを有するように、前記第２入力端子に供給された前記電圧の導通を制御する。前記第３スイッチ部は、少なくとも前記制御信号設定区間において非導通状態を維持する。前記照明器具は、点灯電力供給部と、信号生成部とを備える。前記点灯電力供給部は、前記第２スイッチ部及び前記第３スイッチ部の少なくとも一方を介して伝送された前記電圧に基づいて点灯負荷に電力を供給する。前記信号生成部は、前記第２の切り欠きに基づいて、前記点灯電力供給部の動作を制御する制御信号を生成する。
【０００８】
本願に開示する照明システムにおいて、前記処理部は、前記第１入力端子に供給された前記電圧に対応する信号を保存するバッファ部を備えてもよい。前記処理部は、前記バッファ部に保存された前記信号を読み出して、前記第２スイッチ部の動作を制御してもよい。
【０００９】
本願に開示する照明システムにおいて、前記処理部は、前記バッファ部に保存された前記信号から前記制御信号設定区間の信号を読み出して、前記第２スイッチ部の動作を制御してもよい。
【００１０】
本願に開示する照明システムにおいて、前記処理部は、前記第１入力端子に供給された前記電圧に基づいて、前記バッファ部に前記制御信号設定区間の信号が保存されたと判断すると、前記第３スイッチ部を導通状態から非導通状態に遷移させてもよい。その後、前記処理部は、前記バッファ部から前記制御信号設定区間の信号を読み出してもよい。
【００１１】
本願に開示する照明システムにおいて、前記処理部は、前記第１入力端子に供給された前記電圧をパルス信号に変換する波形変換部を更に備えてもよい。前記バッファ部は、前記第１入力端子に供給された前記電圧に対応する前記信号として、前記パルス信号を保存してもよい。
【００１２】
本願に開示する照明システムにおいて、前記外部電源から交流電圧が供給されてもよい。前記波形変換部は、前記第１入力端子に供給された前記交流電圧を整流する整流回路と、前記整流回路の出力に基づいて前記パルス信号を生成する２値化回路とを備えてもよい。
【００１３】
本願に開示する照明システムにおいて、前記２値化回路は、前記整流回路の出力と閾値とを比較して、前記第１の切り欠きの有無に応じたパルス幅を有する前記パルス信号を生成してもよい。前記処理部は、前記パルス幅に基づいて、前記第２スイッチ部の動作を制御してもよい。
【００１４】
本願に開示する照明システムにおいて、前記処理部は、前記交流電圧のゼロクロスを検出するゼロクロス検出部を更に備えてもよい。前記第２スイッチ部は、前記ゼロクロス検出部の検出結果に基づいて前記交流電圧の導通を制御してもよい。
【００１５】
本願に開示する照明システムにおいて、前記第２スイッチ部は、前記交流電圧の半波において、前記半波が始まる前記ゼロクロスから該半波の位相角度９０度未満の位置まで該半波の波形が切り欠かれるように、前記交流電圧の導通を制御してもよい。
【００１６】
本願に開示する照明システムにおいて、前記第２スイッチ部は、前記第２入力端子に供給された前記電圧の波形が、前記第２の切り欠きとして、前記第１の切り欠きと同じ切り欠きを有するように、前記第２入力端子に供給された前記電圧の導通を制御してもよい。
【００１７】
本願に開示する照明システムにおいて、前記第２スイッチ部は、前記第３スイッチ部が導通状態である間、導通状態を維持してもよい。
【００１８】
本願に開示する照明システムは、前記照明器具を複数個備えてもよい。前記複数個の照明器具は並列接続されてもよい。
【００１９】
本願に開示する照明システムにおいて、前記第１スイッチ部は、半導体スイッチを含んでもよい。前記第２スイッチ部は、半導体スイッチを含んでもよい。前記第３スイッチ部は、リレースイッチを含んでもよい。
【発明の効果】
【００２３】
本発明によれば、照明器具へ供給する電力の損失を抑制できる。
【図面の簡単な説明】
【００２４】
【図１】本発明の実施形態１に係る照明システムの概略構成を示すブロック図である。
【図２】本発明の実施形態１に係る照明制御装置及び電力供給装置の要部を示すブロック図である。
【図３】本発明の実施形態に係る照明制御装置のスイッチ部の一例を示す図である。
【図４】（ａ）は本発明の実施形態において、照明制御装置のスイッチ部を通過した交流電圧の一例を示す図であり、（ｂ）は本発明の実施形態に係る照明制御装置のスイッチ部の駆動信号の一例を示す図である。
【図５】本発明の実施形態に係る制御用スイッチ部及び短絡用スイッチ部の一例を示す図である。
【図６】（ａ）本発明の実施形態に係る照明制御装置の出力波形の一例を示す図であり、（ｂ）は本発明の実施形態に係る短絡用スイッチ部の駆動信号の一例を示す図であり、（ｃ）は本発明の実施形態に係る電力供給装置の出力波形の一例を示す図である。
【図７】本発明の実施形態に係る波形変換部の構成例を示す図である。
【図８】本発明の実施形態に係る波形変換部が備える全波整流回路の構成例を示す図である。
【図９】本発明の実施形態に係る波形変換部が備える２値化回路の構成例を示す図である。
【図１０】本発明の実施形態に係る波形変換部が備える２値化回路の各部で発生する信号波形の一例を示す図である。
【図１１】本発明の実施形態１に係る照明器具の要部を示すブロック図である。
【図１２】本発明の実施形態に係る同色のＬＥＤの接続例を示す図である。
【図１３】本発明の実施形態に係る定電流回路の一例を示す図である。
【図１４】本発明の実施形態に係る信号生成部の一例を示す図である。
【図１５】本発明の実施形態に係る信号生成部の各部で発生する信号波形の一例を示す図である。
【図１６】本発明の実施形態に係る照明システムの各部の信号波形の一例を示す図である。
【図１７】本発明の実施形態に係る制御信号の一例を示す図である。
【図１８】本発明の実施形態２に係る照明システムの概略構成を示すブロック図である。
【図１９】本発明の実施形態２に係る照明器具の概略構成を示すブロック図である。
【図２０】本発明の実施形態３に係る照明システムの概略構成を示すブロック図である。
【発明を実施するための形態】
【００２５】
以下、図面を参照して本発明の実施形態を説明する。ただし、図中、同一又は相当部分については同一の参照符号を付して説明を繰り返さない。
【００２６】
ＬＥＤ照明器具の調光方式として、位相制御方式が知られている。位相制御方式は、ＬＥＤ照明器具に供給する交流電圧の位相を調整して調光する方式であり、トライアック（双方向サイリスタ）を使用することから、トライアック調光方式とも呼ばれる。
【００２７】
具体的には、トライアック調光方式では、交流電圧がゼロクロスポイントから所定の位相角に達するまでトライアックがオフ状態となり、ＬＥＤ照明器具への給電経路が遮断される。そして、交流電圧が所定の位相角に達して以後、トライアックがオン状態（導通状態）となり、ＬＥＤ照明器具への給電経路が導通する。
【００２８】
以上のようにトライアック調光方式では、照明器具への給電が常にトライアックを介して行われる。しかしながら、トライアックは、比較的大きな抵抗値を有するスイッチ素子である。このためトライアック調光方式では、照明器具へ供給する電力の損失が問題となる。
【００２９】
本実施形態にかかる照明システム、照明制御装置、電力供給装置、及び照明器具は、上記のような従来技術に対し、照明器具へ供給する電力の損失を抑制できるものである。
【００３０】
（実施形態１）
図１は本発明の実施形態１に係る照明システムの概略構成を示すブロック図である。図１に示すように、照明システム１は、照明制御装置３と、電力供給装置４と、照明器具５とを備える。
【００３１】
照明制御装置３は、ユーザーの指示に従い、照明器具５から発生する光の光量及び光色（例えば、相関色温度）を設定する信号を電力供給装置４へ送信する。
【００３２】
詳しくは、照明制御装置３は、電力線７ａ、７ｂを通じて商用電源６に電気的に接続され、商用電源６から給電される。電力供給装置４は、照明制御装置３を介して電力線７ａ、７ｂに電気的に接続される。また、照明制御装置３は、電力線７ａに電気的に接続されるスイッチ部３０１（第１スイッチ部の一例）を備える。電力供給装置４には、スイッチ部３０１を通過した後の交流電圧が供給される。
【００３３】
スイッチ部３０１は、照明制御装置３の起動時に、商用電源６から照明制御装置３を介して電力供給装置４へ供給される交流電圧の導通を制御する。これにより、照明制御装置３を介して電力供給装置４へ供給される交流電圧の波形が、制御信号設定区間において、設定された切り欠き（第１の切り欠き）のパターンを有するようになる。この切り欠きのパターンを有する交流電圧の波形が、照明器具５から発生する光の光量及び光色を設定する信号となる。またスイッチ部３０１は、照明器具５から発生する光の光量及び光色又はそれらのうちの一方を変更する際にも同様に、交流電圧の導通を制御する。
【００３４】
電力供給装置４は、照明制御装置３から供給された交流電圧の波形に従い、照明器具５から発生する光の光量及び光色を設定する信号を照明器具５へ送信する。
【００３５】
詳しくは、電力供給装置４は、入力端子４１ａ、４１ｂ（第１入力端子の一例）を備える。入力端子４１ａ、４１ｂは、照明制御装置３を介して電力線７ａ、７ｂに電気的に接続する。したがって、入力端子４１ａ、４１ｂには、照明制御装置３のスイッチ部３０１を介して伝送された交流電圧が供給される。また、電力供給装置４は、入力端子４４ａ、４４ｂ（第２入力端子の一例）を更に備える。入力端子４４ａ、４４ｂは、照明制御装置３を介すことなく、電力線７ａ、７ｂに電気的に接続する。したがって、入力端子４４ａ、４４ｂには、照明制御装置３を介すことなく、商用電源６から交流電圧が供給される。つまり、電力供給装置４は、照明制御装置３を介すことなく、電力線７ａ、７ｂを通じて商用電源６に電気的に接続される。照明器具５は、電力供給装置４の入力端子４４ａ、４４ｂを介して電力線７ａ、７ｂに電気的に接続され、商用電源６から給電される。つまり、照明器具５は、電力供給装置４から給電される。
【００３６】
また、電力供給装置４は、入力端子４４ａを介して電力線７ａに電気的に接続される制御用スイッチ部４１０（第２スイッチ部の一例）を備える。制御信号設定区間において、照明器具５には、制御用スイッチ部４１０を通過した後の交流電圧が供給される。
【００３７】
制御用スイッチ部４１０は、入力端子４１ａ、４１ｂに供給された交流電圧に基づき、商用電源６から照明器具５へ電力供給装置４を介して供給される交流電圧（入力端子４４ａ、４４ｂに供給される交流電圧）の導通を制御する。これにより、照明器具５へ供給される交流電圧は、照明制御装置３を介して電力供給装置４に供給された交流電圧の波形に対応する波形を有するようになる。つまり、照明器具５に、光の光量及び光色を設定する信号が送信される。本実施形態では、制御信号設定区間において、照明器具５へ供給される交流電圧は、照明制御装置３を介して電力供給装置４に供給された交流電圧と同じ波形を有する。
【００３８】
より詳しくは、電力供給装置４は、制御用スイッチ部４１０の動作を制御する処理部４０１を備える。処理部４０１は、バッファ部４０６を備える。処理部４０１は、照明制御装置３を介して電力線７ａ、７ｂに電気的に接続している。つまり、処理部４０１に、照明制御装置３のスイッチ部３０１を通過した後の交流電圧が供給される。
【００３９】
バッファ部４０６は、照明制御装置３を介して電力供給装置４に供給される交流電圧に対応する信号を順次保存する。したがって、照明制御装置３のスイッチ部３０１が、交流電圧の波形が切り欠きパターンを有するように、該交流電圧の導通を制御すると、バッファ部４０６は、切り欠きのパターンを有する交流電圧の波形に対応する信号を保存する。つまり、バッファ部４０６は、照明器具５から発生する光量及び光色を設定する信号に対応する信号を保存する。
【００４０】
処理部４０１は、バッファ部４０６に保存された信号の中から、照明器具５から発生する光量及び光色を設定する信号に対応する信号（設定された切り欠きのパターンを有する交流電圧の波形に対応する信号）を読み出す（コピーする）。つまり、制御信号設定区間の信号がバッファ部４０６から読み出される。そして、処理部４０１は、バッファ部４０６から読み出した信号に基づいて、制御用スイッチ部４１０の動作を制御する。つまり、処理部４０１は、照明制御装置３のスイッチ部３０１を介して供給される交流電圧に基づいて、制御用スイッチ部４１０の動作を制御する。
【００４１】
具体的には、処理部４０１は、照明器具５へ供給される交流電圧の波形が、制御信号設定区間において、設定された切り欠き（第２の切り欠き）のパターンを有するように、制御用スイッチ部４１０の動作を制御する。第２の切り欠きのパターンは、照明制御装置３を介して電力供給装置４に供給された交流電圧の波形が有する第１の切り欠きのパターンに対応する。この第２の切り欠きのパターンを有する交流電圧の波形が、照明器具５から発生する光の光量及び光色を設定する信号となる。
【００４２】
本実施形態では、制御信号設定区間において制御用スイッチ部４１０を通過した後の交流電圧の波形は、制御信号設定区間において照明制御装置３のスイッチ部３０１を通過した後の交流電圧の波形と同じ切り欠きのパターンを有する。つまり、制御用スイッチ部４１０は、制御信号設定区間において、照明制御装置３を介して処理部４０１に供給された交流電圧と同じ波形を有する交流電圧が照明器具５へ供給されるように、交流電圧の導通を制御する。
【００４３】
照明器具５は、送り線７４ａ、７４ｂを介して電力供給装置４から供給された交流電圧を、光を発生させるためのエネルギー源として利用する。その一方で照明器具５は、切り欠きのパターンを有する交流電圧の波形に従う光量及び光色の光を発生させる。つまり、制御信号設定区間に存在する切り欠きのパターンにより、照明器具５から発生する光の光量及び光色が設定される。
【００４４】
詳しくは、照明器具５は、電力線である送り線７４ａ、７４ｂ、及び電力供給装置４を介して、電力線７ａ、７ｂに電気的に接続される。つまり、照明器具５には、制御信号設定区間において、電力供給装置４の制御用スイッチ部４１０を通過した後の交流電圧が供給される。したがって、光の光量及び光色を設定する信号（切り欠きのパターンを有する交流電圧の波形）が電力供給装置４から照明器具５へ送信され、照明器具５は、光の光量及び光色を設定する信号に従う光量及び光色の光を発生させる。
【００４５】
以上のように照明制御装置３は、その起動時に、光量及び光色を設定する信号を電力供給装置４へ送信する。つまり、照明制御装置３の起動時に、照明制御装置３から電力供給装置４へ供給される交流電圧の波形は、切り欠きのパターンを有する。電力供給装置４は、制御信号設定区間において、照明制御装置３から供給された交流電圧の波形に対応する波形を有する交流電圧を、照明器具５へ供給する。これにより、照明制御装置３の起動時に、光量及び光色を設定する信号が照明器具５へ送信されて、照明器具５が、その信号に応じた光量及び光色の光を発生させる。また、照明制御装置３は、照明器具５から発生する光の光量及び光色又はそれらのうちの一方を変更する際にも、光量及び光色を設定する信号を電力供給装置４へ送信する。
【００４６】
本実施形態では、電力供給装置４は、制御信号設定区間において、照明制御装置３から供給された交流電圧の波形と同じ波形を有する交流電圧を、照明器具５へ供給する。即ち、電力供給装置４は照明制御装置３から、光量及び光色を設定する信号を受信する。そして、電力供給装置４は、照明制御装置３から受信した信号と同じ信号（光量及び光色を設定する信号）を照明器具５へ送信する。この結果、照明器具５は、光量及び光色を設定する信号に応じた光量及び光色の光を発生させる。
【００４７】
更に照明制御装置３は、制御用スイッチ部４１０と並列に接続された短絡用スイッチ部４１４（第３スイッチ部の一例）を備える。短絡用スイッチ部４１４の動作は、処理部４０１によって制御される。即ち、処理部４０１は、照明制御装置３のスイッチ部３０１を介して伝送される交流電圧（入力端子４１ａ、４１ｂに供給される交流電圧）に基づいて、短絡用スイッチ部４１４の動作を制御する。
【００４８】
具体的には、短絡用スイッチ部４１４は、制御信号設定区間において非導通状態を維持する一方、制御信号設定区間以外の区間、即ち、光量及び光色を設定する信号を送信しない期間（通常点灯時）において導通状態を維持する。また短絡用スイッチ部４１４は、制御用スイッチ部４１０よりも低い抵抗値を有している。よって、通常点灯時は、制御用スイッチ部４１０が導通状態であっても、交流電圧の全部又は少なくとも一部が短絡用スイッチ部４１４を介して照明器具５へ供給される。したがって、照明器具５へ送る電力の損失を抑制できる。以下では、理解を容易にするために、通常点灯時に交流電圧が短絡用スイッチ部４１４のみを介して照明器具５へ供給される場合を例に説明を行う。
【００４９】
なお、短絡用スイッチ部４１４の状態が遷移するタイミングは、制御信号設定区間の開始及び終了と同期していなくてもよく、短絡用スイッチ部４１４は、少なくとも制御信号設定区間において非導通状態を維持すればよい。例えば、短絡用スイッチ部４１４が非導通状態となるタイミングと、制御信号設定区間の開始との間に時間のずれが存在してもよい。同様に、制御信号設定区間の終了と、短絡用スイッチ部４１４が導通状態となるタイミングとの間に時間のずれが存在してもよい。
【００５０】
以下、図２〜図１７を参照して、照明システム１について、更に詳しく説明する。図２は、照明制御装置３及び電力供給装置４の要部を示すブロック図である。照明制御装置３は、例えば室内の壁面に敷設される。電力供給装置４は、例えば壁面の内側（壁の内部）に敷設される。
【００５１】
図２に示すように、照明制御装置３は、２つの入力端子３１ａ、３１ｂと、２つの出力端子３２ａ、３２ｂとを備える。また、照明制御装置３は、スイッチ部３０１と、スイッチ部３０１を駆動する駆動部３０３と、入力部３０５と、表示部３０７と、制御部３０９と、ゼロクロス検出部３１１とを備える。照明制御装置３は、照明器具５から発生する光の光量及び光色の少なくとも一方の変更の指示を受け付ける。
【００５２】
入力端子３１ａは電力線７ａに電気的に接続している。また、入力端子３１ａは、スイッチ部３０１を介して出力端子３２ａに電気的に接続している。一方、入力端子３１ｂは電力線７ｂに電気的に接続している。また、入力端子３１ｂは、出力端子３２ｂに電気的に接続している。
【００５３】
駆動部３０３は、スイッチ部３０１を駆動する駆動信号を生成する。制御部３０９は、駆動部３０３を介してスイッチ部３０１の動作を制御する。本実施形態において、スイッチ部３０１は、制御信号設定区間以外の区間において、導通状態を維持する。
【００５４】
なお、本実施形態では、制御信号設定区間以外の区間において、スイッチ部３０１が導通状態を維持する場合について説明するが、スイッチ部３０１の状態は、制御信号設定区間以外の区間において導通状態に限定されるものではない。制御信号設定区間以外の区間において、スイッチ部３０１の状態に、導通状態と非導通状態との両方の状態が含まれてもよい。あるいは、制御信号設定区間以外の区間において、スイッチ部３０１は、非導通状態を維持してもよい。
【００５５】
スイッチ部３０１は、好ましくは半導体スイッチを含む。本実施形態では、電源として商用電源６が使用されるため、半導体スイッチの一例である双方向サイリスタ（所謂トライアック）を使用することが好ましい。本実施形態では、スイッチ部３０１のスイッチとして双方向サイリスタが使用される。
【００５６】
入力部３０５は、ユーザーインターフェースであり、例えば、複数個の押しボタンを含む。ユーザーは、入力部３０５を介して、照明器具５から発生する光の光量及び光色の少なくとも一方の変更を指示することができる。ユーザーによる変更指示は、入力部３０５を介して制御部３０９に入力される。
【００５７】
制御部３０９は、例えばマイクロコンピューターである。制御部３０９は、通常点灯時にユーザーからの変更指示が入力されると、その変更指示に従って切り欠きのパターンを設定する。そして、制御部３０９は、制御信号設定区間において、商用電源６から供給される交流電圧の波形が、設定された切り欠きのパターンを有するように、スイッチ部３０１の動作を制御する。また、制御部３０９は、制御信号設定区間が終了すると、スイッチ部３０１の導通状態を維持する。
【００５８】  本実施形態では、制御部３０９は、切り欠きのパターンとして、光量を示す第１パターン、及び光色を示す第２パターンを設定する。第１パターン及び第２パターンの設定は、例えば、制御部３０９が有するメモリー３１０（記憶領域）にルックアップテーブルを記憶させておくことで実現してもよい。メモリー３１０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＥＥＰＲＯＭ（登録商標）（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を含む。
【００５９】
例えば、ユーザーが光量及び光色の変更を指示した場合、制御部３０９は、ユーザーが指示した光量及び光色をそれぞれ示す第１及び第２パターンを設定する。また、ユーザーが光量の変更のみを指示した場合、制御部３０９は、ユーザーが指示した光量を示す第１パターンと、現在の光色を示す第２パターンとを設定する。
【００６０】
制御部３０９は、入力部３０５を介してユーザーが入力（登録）した光量及び光色の情報をメモリー３１０に記憶させてもよい。これにより、例えば照明制御装置３の電源投入時に、制御部３０９は、メモリー３１０に記憶された光量及び光色の情報を読み出して切り欠きのパターンを設定することができる。よって、電源投入時に、ユーザーが前回登録した光量及び光色の光を再現することができる。
【００６１】
また制御部３０９は、表示部３０７に、ユーザーによる光量及び光色の登録を視覚的に補助する情報を表示させる。詳しくは、表示部３０７は、家屋や事務所等に照明システム１が設置された直後の初期段階では、規定された光量及び光色の情報を表示する。規定された光量及び光色の情報はメモリー３１０に記憶されており、初期段階では、この規定された光量及び光色の光が照明器具５から照射される。その後、表示部３０７は、入力部３０５を介して入力された変更の指示に応じた光量及び光色の情報を表示する。これにより、ユーザーは、表示部３０７を見ながら、所望の光量及び光色を登録することができる。
【００６２】
また本実施形態では、電源として商用電源６が使用されるため、照明制御装置３はゼロクロス検出部３１１を備える。ゼロクロス検出部３１１は交流電圧波形のゼロクロスポイントを検出する。制御部３０９は、ゼロクロス検出部３１１の検出結果に基づいてスイッチ部３０１の動作を制御する。詳しくは、制御部３０９は、ゼロクロス検出部３１１の検出結果に基づいて、スイッチ部３０１の駆動部３０３が駆動信号を発生するタイミングを制御する。
【００６３】
図３は、スイッチ部３０１の一例を示す図である。図３に示すように、双方向サイリスタ３０２のゲートに駆動部３０３が電気的に接続する。駆動部３０３は、双方向サイリスタ３０２のゲートを駆動する駆動信号を発生する。詳しくは、スイッチ部３０１を導通状態にする場合、制御部３０９は、双方向サイリスタ３０２をターンオンさせる駆動信号を駆動部３０３から発生させる。
【００６４】
続いて図４を参照して、制御信号設定区間においてスイッチ部３０１の駆動部３０３が生成する駆動信号１０８と、駆動信号１０８に応じて交流電圧１０２の波形に形成される切り欠き１０３とについて説明する。図４（ａ）は、制御信号設定区間においてスイッチ部３０１を通過した交流電圧１０２を示し、図４（ｂ）は、駆動部３０３が生成する駆動信号１０８を示す。
【００６５】
図４に示すように、交流電圧１０２の波形に切り欠き１０３を形成する際には、交流電圧１０２のゼロクロスポイント１０６において駆動信号１０８が立ち下がった後、そのゼロクロスポイント１０６から所定の時間遅延したタイミングＴで、駆動信号１０８の生成が開始される（駆動信号１０８が立ち上がる）。
【００６６】
本実施形態では、スイッチ部３０１のスイッチが双方向サイリスタ３０２であるため、ゼロクロスポイント１０６において双方向サイリスタ３０２のゲートに駆動信号１０８が入力されていない場合、双方向サイリスタ３０２はゼロクロスポイント１０６においてターンオフする。したがって、ゼロクロスポイント１０６において駆動信号１０８を立ち下げた後、ゼロクロスポイント１０６から所定の時間遅延したタイミングＴで駆動信号１０８を立ち上げることで（双方向サイリスタ３０２を点弧することで）、双方向サイリスタ３０２は、ゼロクロスポイント１０６に同期してターンオフし、ゼロクロスポイント１０６から所定の時間遅延したタイミングＴでターンオンする。これにより、所定の幅の切り欠き１０３が交流電圧１０２の波形に形成される。
【００６７】
双方向サイリスタ３０２の点弧角は９０度未満とする。これにより、交流電圧１０２の半波のうち、該半波が始まるゼロクロスポイント１０６から該半波の位相角度９０度未満の位置までの波形が切り欠かれる。好ましくは、ゼロクロスポイント１０６から２．５ｍ秒の範囲内で双方向サイリスタ３０２を点弧する。これにより、交流電圧１０２の半波のうち、該半波が始まるゼロクロスポイント１０６から２．５ｍ秒以内の位置までの波形が切り欠かれる。
【００６８】
以上、図２〜図４を参照して照明制御装置３について説明した。なお、照明制御装置３は図示しない電源回路を備えている。該電源回路は入力端子３１ａ、３１ｂを介して電力線７ａ、７ｂに電気的に接続しており、照明制御装置３の各部の動作に必要な電力を、電力線７ａ、７ｂを伝送される交流電圧１０２に基づいて生成している。
【００６９】
また、入力部３０５はタッチパネルで形成されてもよい。タッチパネルは、表示部３０７に設けられてもよい。また入力部３０５は、赤外線リモートコントローラーなどから送信される赤外線を受光可能な赤外線受光部を含むことができる。この場合、赤外線リモートコントローラーなどから送信された赤外線コード信号が赤外線受光部を介して制御部３０９に伝送される。例えば、赤外線リモートコントローラーの筐体に、光量アップボタン、光量ダウンボタン、光色アップボタン、及び光色ダウンボタンが設けられている場合、ユーザーがいずれかのボタンを１回押下する毎に、赤外線コード信号によって、ユーザーが変更を指示した光量又は光色の情報が制御部３０９へ送られる。したがって、例えば、ユーザーが光量ダウンボタンを押下した場合、制御部３０９は、ユーザーが指示した光量を示す第１パターンと、現在の光色を示す第２パターンとを設定する。
【００７０】
続いて、電力供給装置４について説明する。図２に示すように、電力供給装置４は、４つの入力端子４１ａ、４１ｂ、４４ａ、４４ｂと、２つの出力端子４２ａ、４２ｂとを備える。また電力供給装置４は、処理部４０１と、制御用スイッチ部４１０と、短絡用スイッチ部４１４とを備える。処理部４０１は、波形変換部４０２と、制御部４０４と、ゼロクロス検出部４０７と、制御用スイッチ部４１０を駆動する駆動部４０８と、短絡用スイッチ部４１４を駆動する駆動部４１２とを備える。制御部４０４は、バッファ部４０６を備える。
【００７１】
電力供給装置４の入力端子４１ａ、４１ｂは、照明制御装置３の出力端子３２ａ、３２ｂと電気的に接続している。したがって、商用電源６から供給される交流電圧１０２が、照明制御装置３のスイッチ部３０１を介して電力供給装置４の入力端子４１ａ、４１ｂに印加される。つまり、照明制御装置３のスイッチ部３０１を介して伝送された交流電圧１０２が入力端子４１ａ、４１ｂに供給される。したがって、入力端子４１ａ、４１ｂに供給される交流電圧１０２の波形は、制御信号設定区間において切り欠き１０３のパターンを有する。
【００７２】
電力供給装置４の入力端子４１ａ、４１ｂに印加された交流電圧１０２は波形変換部４０２に伝送される。波形変換部４０２は、交流電圧１０２をパルス信号に変換する。電力供給装置４の制御部４０４は、波形変換部４０２が生成したパルス信号に従い、駆動部４０８及び駆動部４１２を介して、制御用スイッチ部４１０及び短絡用スイッチ部４１４の動作を制御する。
【００７３】
一方、入力端子４４ａ、４４ｂには、照明制御装置３を介すことなく、商用電源６から供給される交流電圧１０２が印加される。入力端子４４ａは制御用スイッチ部４１０を介して出力端子４２ａに電気的に接続している。更に、入力端子４４ａ及び出力端子４２ａに対して、制御用スイッチ部４１０と並列に短絡用スイッチ部４１４が電気的に接続している。また、入力端子４４ｂは出力端子４２ｂに電気的に接続している。そして、電力供給装置４の出力端子４２ａ、４２ｂは、照明器具５に送り線７４ａ、７４ｂを介して電気的に接続している（図１参照）。したがって、照明器具５には、電力供給装置４を介して交流電圧１０２が供給される。
【００７４】
駆動部４０８は、制御用スイッチ部４１０を駆動する駆動信号を生成する。制御部４０４は、駆動部４０８を介して制御用スイッチ部４１０の動作を制御する。駆動部４１２は、短絡用スイッチ部４１４を駆動する駆動信号を生成する。制御部４０４は、駆動部４１２を介して短絡用スイッチ部４１４の動作を制御する。
【００７５】
具体的には、制御部４０４は、波形変換部４０２が生成したパルス信号（スイッチ部３０１を介して伝送された交流電圧１０２の波形）に従い、照明器具５へ伝送される交流電圧１０２の波形が制御信号設定区間において切り欠きを有するように、制御用スイッチ部４１０及び短絡用スイッチ部４１４の動作を制御する。これにより、照明器具５へ供給される交流電圧の波形が、制御信号設定区間において、設定された切り欠きのパターンを有するようになる。照明器具５へ供給される交流電圧の波形は、照明制御装置３を介して電力供給装置４に供給された交流電圧の波形が有する切り欠き１０３のパターンに対応する切り欠きのパターンを有する。
【００７６】
本実施形態では、照明器具５へ供給される交流電圧の波形は、照明制御装置３を介して電力供給装置４に供給された交流電圧と同じ波形を有する。したがって、制御用スイッチ部４１０は、制御信号設定区間において、照明制御装置３のスイッチ部３０１と同様に動作し、照明器具５へ供給される交流電圧の波形は、制御信号設定区間において、照明制御装置３から電力供給装置４へ伝送された交流電圧の波形と同じ切り欠きのパターンを有する。電力供給装置４の制御部４０４が、駆動部４０８を介して制御用スイッチ部４１０の動作をこのように制御することにより、照明器具５から発生する光の光量及び光色が制御される。
【００７７】
また本実施形態において、制御用スイッチ部４１０は、制御信号設定区間以外の区間において、導通状態を維持する。なお、制御信号設定区間以外の区間における制御用スイッチ部４１０の状態は、導通状態に限定されるものではない。制御信号設定区間以外の区間において、制御用スイッチ部４１０の状態に、導通状態と非導通状態との両方の状態が含まれてもよい。あるいは、制御信号設定区間以外の区間において、制御用スイッチ部４１０は、非導通状態を維持してもよい。
【００７８】
制御用スイッチ部４１０は、好ましくは半導体スイッチを含む。本実施形態では、電源として商用電源６が使用されるため、半導体スイッチの一例である双方向サイリスタ（所謂トライアック）を使用することが好ましい。本実施形態では、制御用スイッチ部４１０のスイッチとして双方向サイリスタが使用される。一方、短絡用スイッチ部４１４のスイッチには、制御用スイッチ部４１０のスイッチよりも低い抵抗値を有するスイッチが使用される。本実施形態では、双方向サイリスタよりも低い抵抗値を有するスイッチとして、リレースイッチが使用される。
【００７９】
制御部４０４は、例えばマイクロコンピューターである。制御部４０４は、波形変換部４０２が生成したパルス信号（スイッチ部３０１を介して伝送された交流電圧１０２の波形）に従って、デジタル信号を生成する。制御部４０４は、デジタル信号を生成すると、そのデジタル信号の内容（データコード）に基づいて、制御用スイッチ部４１０及び短絡用スイッチ部４１４の動作を制御する。
【００８０】
具体的には、波形変換部４０２が、切り欠き１０３を有する交流電圧１０２の波形に対応するパルス信号（制御信号設定区間のパルス信号）を生成すると、制御部４０４は、制御信号設定区間のパルス信号に対応するデジタル信号（制御信号設定区間のデジタル信号）を生成する。そして、制御部４０４は、制御信号設定区間のデジタル信号の内容（データコード）に基づいて、切り欠きのパターンを設定する。次いで、制御部４０４は、制御信号設定区間において、照明器具５へ伝送される交流電圧１０２の波形が、設定された切り欠きのパターンを有するように、制御用スイッチ部４１０の動作を制御する。切り欠きのパターンの設定は、制御部４０４が有するメモリー４０５（記憶領域）にルックアップテーブルを記憶させておくことで実現してもよい。メモリー４０５は、例えば、ＲＯＭ、ＲＡＭ、及びＥＥＰＲＯＭを含む。
【００８１】
本実施形態において、制御部４０４はバッファ部４０６を備える。バッファ部４０６は、例えばリングバッファである。本実施形態において、バッファ部４０６はリングバッファである。制御部４０４は、波形変換部４０２から連続的に出力されるパルス信号を順次デジタル信号に変換する。また制御部４０４は、連続的に生成されるデジタル信号をバッファ部４０６に順次保存する。そして、制御部４０４は、制御信号設定区間のデジタル信号がバッファ部４０６に保存されたか否かを判定する。
【００８２】
制御信号設定区間のデジタル信号がバッファ部４０６に保存されると、制御部４０４は、御信号設定区間のデジタル信号をバッファ部４０６から読み出して（コピーして）、メモリー４０５に記憶させる。その一方で、制御部４０４は、駆動部４１２を介して短絡用スイッチ部４１４を非導通状態にする。なお、本実施形態において、バッファ部４０６はリングバッファである。したがって、バッファ部４０６にデジタル信号が順次保存されることで、先に保存されたデジタル信号が消去される。
【００８３】
制御部４０４は、短絡用スイッチ部４１４が非導通状態となった後、メモリー４０５から御信号設定区間のデジタル信号を読み出す。そして、制御部４０４は、御信号設定区間のデジタル信号の内容（データコード）に基づいて切り欠きのパターンを設定する。なお、メモリー４０５から読み出されたデジタル信号は、メモリー４０５から消去される。切り欠きのパターンが設定されると、制御部４０４は、制御信号設定区間において、照明器具５へ伝送される交流電圧１０２の波形が、設定された切り欠きのパターンを有するように、制御用スイッチ部４１０の動作を制御する。つまり、制御用スイッチ部４１０は、制御信号設定区間において、照明器具５へ伝送される交流電圧１０２の波形が、設定された切り欠きのパターンを有するように、電力供給装置４を介して照明器具５へ供給される交流電圧１０２の導通を制御する。
【００８４】
本実施形態では、照明器具５へ供給される交流電圧の波形は、照明制御装置３を介して電力供給装置４に供給された交流電圧１０２の波形と同じ切り欠きのパターンを有する。したがって、制御部４０４は、照明制御装置３の制御部３０９と同様に、切り欠きのパターンとして、光量を示す第１パターン、及び光色を示す第２パターンを設定する。第１パターン及び第２パターンの設定は、例えば、メモリー４０５にルックアップテーブルを記憶させておくことで実現してもよい。
【００８５】
制御部４０４は、御信号設定区間のデジタル信号がメモリー４０５に記憶されていないことを確認すると、短絡用スイッチ部４１４を非導通状態から導通状態へ戻す。また、制御部４０４は、御信号設定区間のデジタル信号がメモリー４０５に記憶されていないことを確認すると、制御用スイッチ部４１０の導通状態を維持する。
【００８６】
本実施形態において、制御用スイッチ部４１０を通過した後の交流電圧の波形は、照明制御装置３のスイッチ部３０１を通過した後の交流電圧の波形と同じ切り欠きのパターンを有する。つまり、制御用スイッチ部４１０は、照明制御装置３を介して処理部４０１に供給された交流電圧の波形と同じ波形を有する交流電圧が照明器具５へ供給されるように、交流電圧の導通を制御する。
【００８７】
また本実施形態では、電源として商用電源６が使用されるため、電力供給装置４はゼロクロス検出部４０７を備える。ゼロクロス検出部４０７は、入力端子４４ａ、４４ｂを介して入力された交流電圧１０２の波形のゼロクロスポイントを検出する。制御部４０４は、ゼロクロス検出部４０７の検出結果に基づいて制御用スイッチ部４１０の動作を制御する。詳しくは、制御部４０４は、ゼロクロス検出部４０７の検出結果に基づいて、制御用スイッチ部４１０の駆動部４０８が駆動信号を発生するタイミングを制御する。
【００８８】
なお、電力供給装置４は図示しない電源回路を備えている。該電源回路は入力端子４１ａ、４１ｂ又は４４ａ、４４ｂに電気的に接続しており、電力供給装置４の各部の動作に必要な電力を、入力端子４１ａ、４１ｂ又は４４ａ、４４ｂに印加される交流電圧１０２に基づいて生成している。
【００８９】
図５は、制御用スイッチ部４１０及び短絡用スイッチ部４１４の一例を示す図である。図５に示すように、双方向サイリスタ４１１のゲートに駆動部４０８が電気的に接続する。駆動部４０８は、双方向サイリスタ４１１のゲートを駆動する駆動信号を発生する。詳しくは、制御用スイッチ部４１０を導通状態にする場合、制御部４０４は、双方向サイリスタ４１１をターンオンさせる駆動信号を駆動部４０８から発生させる。
【００９０】
一方、短絡用スイッチ部４１４の駆動部４１２は、リレースイッチ４１５に含まれるコイル４１５ａに電気的に接続される。本実施形態では、リレースイッチ４１５はノーマリー・オープン型であり、駆動部４１２がコイル４１５ａに電流を流すことで、スイッチ４１５ｂが閉じる。よって、短絡用スイッチ部４１４は、スイッチ４１５ｂが閉じることで（オン状態となることで）、導通状態となる。また、短絡用スイッチ部４１４は、スイッチ４１５ｂが開くことで（オフ状態となることで）、非導通状態となる。なお、ノーマリー・クローズ型のリレースイッチが使用されてもよい。この場合、駆動部４１２がコイルに電流を流すことで、スイッチが開く。
【００９１】
なお、本実施形態において、制御用スイッチ部４１０は、照明制御装置３のスイッチ部３０１と同様に動作する。したがって、制御信号設定区間において制御用スイッチ部４１０の駆動部４０８が生成する駆動信号と、照明器具５へ供給される交流電圧１０２の波形に形成される切り欠きとの関係は、照明制御装置３の駆動部３０３が生成する駆動信号１０８と、駆動信号１０８に応じて交流電圧１０２の波形に形成される切り欠き１０３との関係と同様であるため、その説明は省略する（図４参照）。
【００９２】
図６（ａ）は制御信号設定区間における照明制御装置３の出力波形の一例を示す。即ち、図６（ａ）は、制御信号設定区間においてスイッチ部３０１を通過した交流電圧１０２の波形の一例を示す。スイッチ部３０１が交流電圧１０２を一時的に遮断することにより、図６（ａ）に示すように、交流電圧１０２の波形に切り欠き１０３が形成される。そして、スイッチ部３０１を通過した交流電圧１０２が、電力供給装置４へ伝送される。
【００９３】
図６（ｂ）は短絡用スイッチ部４１４の駆動信号の一例を示す。電力供給装置４は、制御信号設定区間のデジタル信号がバッファ部４０６に保存されると、短絡用スイッチ部４１４を非導通状態にする駆動信号１０７を駆動部４１２に生成させる。
【００９４】
図６（ｃ）は電力供給装置４の出力波形の一例を示す。電力供給装置４は、短絡用スイッチ部４１４が非導通状態となった後に、制御用スイッチ部４１０の動作を制御して、照明器具５へ伝送される交流電圧１０２の波形に切り欠き１０４を形成する。詳しくは、電力供給装置４は、照明制御装置３から伝送された交流電圧１０２の波形が有する切り欠き１０３のパターンに応じて、制御用スイッチ部４１０の動作を制御する。本実施形態では、照明器具５へ伝送される交流電圧１０２は、照明制御装置３から伝送された交流電圧１０２の波形と同じ波形を有する。つまり、切り欠き１０４のパターンは、切り欠き１０３のパターンと同一である。
【００９５】
また図６（ａ）〜図６（ｃ）に示すように、短絡用スイッチ部４１４が導通状態から非導通状態へ遷移した後に、電力供給装置４の出力波形において制御信号設定区間が開始する。このため、電力供給装置４の出力波形において制御信号設定区間が開始するタイミングは、照明制御装置３の出力波形において制御信号設定区間が開始するタイミングから遅延している。
【００９６】
図７は、波形変換部４０２の一例を示す図である。電源として商用電源６が使用される場合、図７に示すように、波形変換部４０２は、全波整流回路４１６と２値化回路４１８とを備えてもよい。全波整流回路４１６は、スイッチ部３０１を介して伝送された交流電圧１０２を整流する。２値化回路４１８は、全波整流回路４１６の出力に基づいてパルス信号を生成する。
【００９７】
図８は、波形変換部４０２が備える全波整流回路４１６の一例を示す図である。図８に示すように、全波整流回路４１６は、４個のダイオード４１６ａ、４１６ｂ、４１６ｃ、４１６ｄを含んでもよい。
【００９８】
図９は、２値化回路４１８の一例を示す図である。２値化回路４１８は、図９に示すように、３個の抵抗器４２０、４２２、４２４、及びＮｃｈＭＯＳＦＥＴ４２６を備えてもよい。抵抗器４２０、４２２は、全波整流回路４１６（図７参照）による整流後の電圧を分圧する分圧回路を構成する。この分圧回路の出力電圧がＮｃｈＭＯＳＦＥＴ４２６のゲートに印加される。抵抗器４２４はプルアップ抵抗である。
【００９９】
なお、図９に示すように、抵抗器４２４には電源電圧Ｖｃｃが供給される。電源電圧Ｖｃｃは、電力供給装置４に設けられた電源回路（図示せず）によって生成される。また本実施形態では、２値化回路４１８がＮｃｈＭＯＳＦＥＴ４２６を備える場合について説明するが、これに限らず、２値化回路４１８は、ＮｃｈＭＯＳＦＥＴ４２６に替えてバイポーラ型トランジスタを備えてもよい。
【０１００】
ＮｃｈＭＯＳＦＥＴ４２６は、そのゲートに印加される電圧と、そのゲート閾値との大小関係に応じて、ターンオン及びターンオフを繰り返す。これにより、ＮｃｈＭＯＳＦＥＴ４２６のドレインと抵抗器４２４との接続点Ｐ１に、パルス信号が発生する。このパルス信号が制御部４０４に入力される。
【０１０１】
図１０（ａ）は、ＮｃｈＭＯＳＦＥＴ４２６のゲートに印加される電圧の波形の一例を示す。また、図１０（ｂ）は、ＮｃｈＭＯＳＦＥＴ４２６のドレインと抵抗器４２４との接続点Ｐ１に発生するパルス信号の一例を示す。詳しくは、図１０（ｂ）は、図１０（ａ）に示す電圧１２２に応じて発生するパルス信号１２４を示している。パルス信号１２４は、制御部４０４に入力される。
【０１０２】
図１０（ａ）において、電圧１２２は、ＮｃｈＭＯＳＦＥＴ４２６のゲートに印加される電圧である。図１０（ａ）に示すように、電圧１２２の波形は、切り欠き１０３を含む。また、電圧１２２の値が最小となる位置１２３付近において、電圧１２２の波形がＮｃｈＭＯＳＦＥＴ４２６のゲート閾値を下回る。位置１２３は、交流電圧１０２のゼロクロスポイント１０６に対応する。電圧１２２の波形がゲート閾値を下回ると、図１０（ｂ）に示すようにパルス信号１２４はＨレベルとなる。
【０１０３】
詳しくは、パルス信号１２４は、切り欠き１０３の有無に応じたパルス幅Ｗ１、Ｗ２を有する。これは、切り欠き１０３が形成されている箇所では、電圧１２２の波形がゲート閾値を下回る時間が、切り欠き１０３が形成されていない箇所と比べて長くなるためである。つまり、切り欠き１０３が形成されていない箇所では、パルス信号１２４のパルス幅は第１のパルス幅Ｗ１となる。一方、切り欠き１０３が形成されている箇所では、パルス信号１２４のパルス幅は、第１のパルス幅Ｗ１よりも大きい第２のパルス幅Ｗ２となる。制御部４０４は、パルス信号１２４のパルス幅（第１のパルス幅Ｗ１及び第２のパルス幅Ｗ２）に従って、デジタル信号を生成する。
【０１０４】
具体的には、制御部４０４は、パルス信号１２４を閾値と比較して、パルス信号１２４のパルス幅を判断する。即ち、制御部４０４は、パルス信号１２４のパルス幅が第１のパルス幅Ｗ１であるのか第２のパルス幅Ｗ２であるのかを判定する。そして制御部４０４は、第１のパルス幅Ｗ１に対応して値が「０」となり、第２のパルス幅Ｗ２に対応して値が「１」となるデジタル信号を生成する（図１０（ｂ）参照）。
【０１０５】
ここで、制御部４０４は、例えば数１００μ秒毎にパルス信号１２４を閾値と比較し、パルス信号１２４のパルス幅を判断している。このようにパルス信号１２４が閾値と細かく比較されることで、パルス信号１２４に含まれるノイズの影響を抑制することができる。
【０１０６】
続いて、制御部４０４によるパルス信号１２４のパルス幅の判定方法について説明する。制御部４０４は、例えば、第２のパルス幅Ｗ２が検出されるまで、時間的に隣接するパルス幅の比を求めて、パルス幅が第１のパルス幅Ｗ１であるのか第２のパルス幅Ｗ２であるのかを判定する。つまり、あるパルス幅の比の値は、時間的に一つ前のパルス幅に対する比の値である。
【０１０７】
詳しくは、制御部４０４は、求めたパルス幅の比の値が、規定された第１範囲内の値であるとき、そのパルス幅が第１のパルス幅Ｗ１であると判定する。一方、制御部４０４は、求めたパルス幅の比の値が、規定された第２範囲内の値であるとき、そのパルス幅が第２のパルス幅Ｗ２であると判定する。第２範囲の下限値は、第１範囲の上限値以上に設定されている。そして、制御部４０４は、第２のパルス幅Ｗ２が検出された後は、第１のパルス幅Ｗ１が検出されるまで、パルス幅の比の値として、その第２のパルス幅Ｗ２の前のパルス幅（第１のパルス幅Ｗ１）に対する比の値を求める。なお、制御部４０４は、求めたパルス幅の比の値が「１」であるとき、そのパルス幅が第１のパルス幅Ｗ１であると判定してもよい。
【０１０８】
以上のようにパルス信号１２４のパルス幅の比の値を求めることで、電力供給装置４の制御部４０４は、照明制御装置３の入力端子３１ａ、３１ｂに印加される電圧の値及びその電圧の周波数が変化しても、パルス信号１２４（切り欠き１０３のパターン）を読み取ることができる。
【０１０９】
続いて図１１を参照して、照明器具５について説明する。図１１は、照明器具５の要部を示すブロック図である。照明器具５は、例えば、ダウンライト又は間接照明である。図１１に示すように、照明器具５は、２つの入力端子５１ａ、５１ｂを備える。入力端子５１ａ、５１ｂは送り線７４ａ、７４ｂを介して電力供給装置４の出力端子４２ａ、４２ｂ（図２参照）に電気的に接続している。
【０１１０】
また照明器具５は、点灯電力供給部５０２と信号生成部５０４とを備える。点灯電力供給部５０２は、入力端子５１ａ、５１ｂに電気的に接続している。点灯電力供給部５０２は、入力端子５１ａ、５１ｂに供給された交流電圧１０２（入力電圧）に基づいて、点灯負荷５２０に電力を供給する。具体的には、点灯電力供給部５０２は、制御信号設定区間（短絡用スイッチ部４１４が非導通状態となっている間）では、制御用スイッチ部４１０を介して伝送された交流電圧１０２に基づいて、点灯負荷５２０に電力を供給する。一方、制御信号設定区間以外の区間（短絡用スイッチ部４１４が導通状態となっている間）では、点灯電力供給部５０２は、短絡用スイッチ部４１４を介して伝送された交流電圧１０２に基づいて、点灯負荷５２０に電力を供給する。
【０１１１】
本実施形態では、点灯負荷５２０が、照明素子としてＬＥＤを含む。この場合、点灯電力供給部５０２は、入力端子５１ａ、５１ｂに供給された交流電圧１０２に基づいて定電流を生成する。
【０１１２】
また本実施形態では、互いに光色の異なる光を出射する複数色のＬＥＤが使用される。これにより、調光調色制御を実現することができる。複数色のＬＥＤは、平面視したときに均等に配置されることが好ましい。これにより、各光色の光が均等に混ざるため、点灯負荷５２０から発生する光の光量及び光色を高精度に調節することが可能となる。
【０１１３】
本実施形態では、２色のＬＥＤ５２２ａ、５２２ｂが使用される。例えば、２色のＬＥＤ５２２ａ、５２２ｂとして、５０００ケルビン（寒色）のＬＥＤと２７００ケルビン（暖色）のＬＥＤとを使用することができる。
【０１１４】
また本実施形態では、点灯電力供給部５０２は、整流回路５０６、平滑回路５０８、及び、各色のＬＥＤ５２２ａ、５２２ｂに対応してそれぞれ設けられた定電流回路５１０（第１定電流回路５１０ａ及び第２定電流回路５１０ｂ）を備える。第１定電流回路５１０ａはＬＥＤ５２２ａに定電流を供給し、第２定電流回路５１０ｂはＬＥＤ５２２ｂに定電流を供給する。
【０１１５】
整流回路５０６は、入力端子５１ａ、５１ｂに供給された交流電圧１０２を整流する。整流回路５０６は、好適には全波整流回路である。本実施形態において整流回路５０６は全波整流回路である。平滑回路５０８は、整流回路５０６の出力を平滑化する。本実施形態において平滑回路５０８は、図１１に示すようにダイオード５０８ａと電解コンデンサ５０８ｂとを含む。
【０１１６】
整流回路５０６及び平滑回路５０８により、入力端子５１ａ、５１ｂに供給された交流電圧１０２が直流電圧に変換される。各定電流回路５１０は、平滑回路５０８の出力（直流電圧）に基づいて定電流をそれぞれ生成する。この定電流により、点灯負荷５２０に電力が供給される。
【０１１７】
信号生成部５０４には、点灯電力供給部５０２に含まれる整流回路５０６を通過した電圧が伝送される。信号生成部５０４は、整流後の電圧の波形が有する切り欠き１０４のパターンに基づいて、制御信号１２６ａ、１２６ｂを生成する。つまり、信号生成部５０４は、制御用スイッチ部４１０を介して照明器具５へ伝送された交流電圧１０２の波形を用いて、制御信号１２６ａ、１２６ｂを生成する。制御信号１２６ａ、１２６ｂは、点灯電力供給部５０２による点灯負荷５２０（５２２ａ、５２２ｂ）への電力供給動作を制御するための信号である。詳しくは、制御信号１２６ａによって第１定電流回路５１０ａの動作が制御され、制御信号１２６ｂによって第２定電流回路５１０ｂの動作が制御される。
【０１１８】
点灯負荷５２０は、光色ごとにＬＥＤを１個ずつ含んでもよいし、光色ごとに複数個のＬＥＤを含んでもよい。図１２は、同色のＬＥＤの接続例を示す。図１２（ａ）に示すように、同色のＬＥＤ５２２は直列接続されてもよい。あるいは、同色のＬＥＤ５２２は、図１２（ｂ）に示すように並列接続されてもよい。
【０１１９】
続いて、図１３を参照して、定電流回路５１０の構成例について説明する。ここでは、第１定電流回路５１０ａを例に説明する。図１３は、第１定電流回路５１０ａの構成の一例を示す図である。図１３に示すように、第１定電流回路５１０ａは、制御部５１１、ＮｃｈＭＯＳＦＥＴ５１２（スイッチ素子の一例）、ダイオード５１３、チョークコイル５１４、及びコンデンサ５１５を含んでもよい。
【０１２０】
コンデンサ５１５は、平滑回路５０８（図１１参照）の出力によって充電される。制御部５１１は、例えば、定電流制御ＩＣ（Ｉｎｔｅｇｒａｔｅｄ  Ｃｉｒｃｕｉｔ）である。制御部５１１は、信号生成部５０４から出力された制御信号１２６ａに従って、点灯負荷５２０（ＬＥＤ５２２ａ）に定電流が流れるようにＮｃｈＭＯＳＦＥＴ５１２の動作を制御する。この制御により、ＮｃｈＭＯＳＦＥＴ５１２がターンオン及びターンオフを繰り返して、コンデンサ５１５が充電と放電とを繰り返す。この結果、ＬＥＤ５２２ａに定電流が流れて、ＬＥＤ５２２ａが発光する。
【０１２１】
点灯負荷５２０から発生する光の光量及び光色の調節は、各色のＬＥＤ５２２（５２２ａ、５２２ｂ）に流れる定電流の電流値を制御することで実行される。したがって、信号生成部５０４は、各定電流回路５１０（５１０ａ、５１０ｂ）のそれぞれのＮｃｈＭＯＳＦＥＴ５１２のオン時間及びオフ時間を制御する制御信号１２６ａ、１２６ｂを生成する。
【０１２２】
続いて、図１４及び図１５を参照して、信号生成部５０４の一例について説明する。図１４は信号生成部５０４の構成の一例を示す図である。図１５は、図１４に示す信号生成部５０４の各部で発生する信号の波形の一例を示す図である。上述したＮｃｈＭＯＳＦＥＴ５１２のオン時間及びオフ時間を制御する場合、信号生成部５０４は、図１４に示すような回路構成であってもよい。図１４に示す信号生成部５０４は、２値化回路５２４と、制御部５２６とを備える。なお、図１４に示すように、制御部５２６には電源電圧Ｖｃｃが供給される。電源電圧Ｖｃｃは、照明制御装置３及び電力供給装置４と同様に、照明器具５に設けられた電源回路（図示せず）によって生成される。
【０１２３】
２値化回路５２４は、整流回路５０６（図１１参照）の出力、即ち整流後の電圧を閾値と比較して、パルス信号を生成する。２値化回路５２４は、３個の抵抗器５２８、５３０、５３２、及びＮｃｈＭＯＳＦＥＴ５３４を備えてもよい。抵抗器５２８、５３０は、整流回路５０６による整流後の電圧を分圧する分圧回路を構成する。この分圧回路の出力電圧がＮｃｈＭＯＳＦＥＴ５３４のゲートに印加される。抵抗器５３２はプルアップ抵抗である。なお、本実施形態では、２値化回路５２４がＮｃｈＭＯＳＦＥＴ５３４を備える場合について説明するが、これに限らず、２値化回路５２４は、ＮｃｈＭＯＳＦＥＴ５３４に替えてバイポーラ型トランジスタを備えてもよい。
【０１２４】
ＮｃｈＭＯＳＦＥＴ５３４は、そのゲートに印加される電圧と、そのゲート閾値との大小関係に応じて、ターンオン及びターンオフを繰り返す。これにより、ＮｃｈＭＯＳＦＥＴ５３４のドレインと抵抗器５３２との接続点Ｐ２に、パルス信号が発生する。このパルス信号が制御部５２６に入力される。
【０１２５】
図１５（ａ）は、ＮｃｈＭＯＳＦＥＴ５３４のゲートに印加される電圧の波形の一例を示す。また、図１５（ｂ）は、ＮｃｈＭＯＳＦＥＴ５３４のドレインと抵抗器５３２との接続点Ｐ２に発生するパルス信号の一例を示す。詳しくは、図１５（ｂ）は、図１５（ａ）に示す電圧１１０に応じて発生するパルス信号１１４を示している。パルス信号１１４は、制御部５２６に入力される。
【０１２６】
図１５（ａ）において、電圧１１０は、ＮｃｈＭＯＳＦＥＴ５３４のゲートに印加される電圧である。図１５（ａ）に示すように、電圧１１０の波形は切り欠き１０４を含む。また、電圧１１０の値が最小となる位置１１２付近において、電圧１１０の波形がＮｃｈＭＯＳＦＥＴ５３４のゲート閾値を下回る。位置１１２は、交流電圧１０２のゼロクロスポイント１０６に対応する。電圧１１０の波形がゲート閾値を下回ると、図１５（ｂ）に示すようにパルス信号１１４はＨレベルとなる。
【０１２７】
詳しくは、パルス信号１１４は、切り欠き１０４の有無に応じたパルス幅Ｗ１１、Ｗ１２を有する。これは、切り欠き１０４が形成されている箇所では、電圧１１０の波形がゲート閾値を下回る時間が、切り欠き１０４が形成されていない箇所と比べて長くなるためである。つまり、切り欠き１０４が形成されていない箇所では、パルス信号１１４のパルス幅は第３のパルス幅Ｗ１１となる。一方、切り欠き１０４が形成されている箇所では、パルス信号１１４のパルス幅は、第３のパルス幅Ｗ１１よりも大きい第４のパルス幅１２となる。
【０１２８】
制御部５２６は、例えばマイクロコンピューターである。制御部５２６には、ＮｃｈＭＯＳＦＥＴ５３４のドレインと抵抗器５３２との接続点Ｐ２から電圧が印加される。即ち、図１５（ｂ）に示すパルス信号１１４が制御部５２６に入力される。制御部５２６は、パルス信号１１４のパルス幅（第３のパルス幅Ｗ１１及び第４のパルス幅Ｗ１２）に従って、デジタル信号を生成する。
【０１２９】
具体的には、制御部５２６は、パルス信号１１４を閾値と比較して、パルス信号１１４のパルス幅を判断する。即ち、制御部５２６は、パルス信号１１４のパルス幅が第３のパルス幅Ｗ１１であるのか第４のパルス幅Ｗ１２であるのかを判定する。そして制御部５２６は、第３のパルス幅Ｗ１１に対応して値が「０」となり、第４のパルス幅Ｗ１２に対応して値が「１」となるデジタル信号を生成する（図１５（ｂ）参照）。
【０１３０】
ここで、制御部５２６は、例えば数１００μ秒毎にパルス信号１１４を閾値と比較し、パルス信号１１４のパルス幅を判断している。このようにパルス信号１１４が閾値と細かく比較されることで、パルス信号１１４に含まれるノイズの影響を抑制することができる。
【０１３１】
制御部５２６は、デジタル信号を生成すると、そのデジタル信号の内容（データコード）に基づいて、各定電流回路５１０（第１定電流回路５１０ａ及び第２定電流回路５１０ｂ）に含まれる各ＮｃｈＭＯＳＦＥＴ５１２（図１３参照）のオン時間及びオフ時間を制御する制御信号１２６ａ、１２６ｂを生成する。
【０１３２】
具体的には、制御信号１２６ａ、１２６ｂはパルス電圧であり、デジタル信号の内容に応じて、各定電流回路５１０ａ、５１０ｂへ伝送されるパルス電圧（制御信号１２６ａ、１２６ｂ）のパルス幅が決まる。したがって、各定電流回路５１０ａ、５１０ｂに含まれるＬＥＤ５２２（５２２ａ、５２２ｂ）に流れる定電流の電流値は、デジタル信号の内容に応じた値、即ち切り欠き１０４（切り欠き１０３）のパターンに応じた値となる。制御信号１２６ａ、１２６ｂ（パルス電圧）のパルス幅の設定は、例えば、制御部５２６が有するメモリー５２７（記憶領域）にルックアップテーブルを記憶させておくことで実現してもよい。メモリー５２７は、例えば、ＲＯＭ、ＲＡＭ、及びＥＥＰＲＯＭを含む。
【０１３３】
続いて、制御部５２６によるパルス信号１１４のパルス幅（第３のパルス幅Ｗ１１、第４のパルス幅Ｗ１２）の判定方法について説明する。制御部５２６は、例えば、第４のパルス幅Ｗ１２が検出されるまで、時間的に隣接するパルス幅の比を求めて、パルス幅が第３のパルス幅Ｗ１１であるのか第４のパルス幅Ｗ１２であるのかを判定する。つまり、あるパルス幅の比の値は、時間的に一つ前のパルス幅に対する比の値である。
【０１３４】
詳しくは、制御部５２６は、求めたパルス幅の比の値が、規定された第３範囲内の値であるとき、そのパルス幅が第３のパルス幅Ｗ１１であると判定する。一方、制御部５２６は、求めたパルス幅の比の値が、規定された第４範囲内の値であるとき、そのパルス幅が第４のパルス幅Ｗ１２であると判定する。第４範囲の下限値は、第３範囲の上限値よりも大きい値に設定されている。そして、制御部５２６は、第４のパルス幅Ｗ１２が検出された後は、第３のパルス幅Ｗ１１が検出されるまで、パルス幅の比の値として、その第４のパルス幅Ｗ１２の前のパルス幅（第３のパルス幅Ｗ１１）に対する比の値を求める。なお、制御部５２６は、求めたパルス幅の比の値が「１」であるとき、そのパルス幅が第３のパルス幅Ｗ１１であると判定してもよい。
【０１３５】
以上のようにパルス信号１１４のパルス幅の比の値を求めることで、照明制御装置３の入力端子３１ａ、３１ｂに印加される電圧の値及びその電圧の周波数に起因してパルス信号１１４のパルス幅が変化しても、制御部５２６はパルス信号１１４（切り欠き１０４のパターン）を読み取ることができる。
【０１３６】
以上、図１〜図１５を参照して、照明システム１の構成について説明した。なお、照明制御装置３は、電源投入直後は交流電圧１０２の波形に切り欠き１０３を形成しない仕様となっている。これにより、照明制御装置３の電源投入直後は、パルス信号１１４のパルス幅が複数回連続して第３のパルス幅Ｗ１１となる。また、照明制御装置３は、制御信号設定区間の開始時に、交流電圧１０２の波形に切り欠き１０３を形成する。したがって、照明器具５へ供給される交流電圧１０２の波形に切り欠き１０４が形成されて、パルス信号１１４のパルス幅が第４のパルス幅Ｗ１２となる。これにより、照明器具５（信号生成部５０４）の制御部５２６は、制御信号設定区間の開始を認識（判断）する。
【０１３７】
また照明制御装置３は、１つの制御信号設定区間が終了した後、交流電圧１０２の波形に切り欠き１０３を形成しない仕様となっている。これにより、制御信号設定区間が終了した後に、パルス信号１１４のパルス幅が複数回連続して第３のパルス幅Ｗ１１となる。照明器具５（信号生成部５０４）の制御部５２６は、パルス信号１１４のパルス幅が複数回連続して第３のパルス幅Ｗ１１になると、制御信号設定区間の終了を認識（判断）する。電力供給装置４は、制御信号設定区間の終了後、短絡用スイッチ部４１４を非導通状態から導通状態に遷移させる。
【０１３８】
続いて、図１〜図１７を参照して、通常点灯時に、点灯負荷５２０の光量及び光色の少なくとも一方が変更される際の照明システム１の動作を説明する。図１６及び図１７は、照明システム１の各部の信号波形を示す。
【０１３９】
電力線７ａ、７ｂには、商用電源６から、図１６（ａ）に示す正弦波状の交流電圧１０２が供給されている。照明制御装置３の制御部３０９は、通常点灯時に、点灯負荷５２０から発生する光の光量及び光色の少なくとも一方を変更する指示が入力部３０５を介して入力されると、入力された変更の指示に応じてスイッチ部３０１の動作を制御する。これにより、スイッチ部３０１は、交流電圧１０２の波形が、制御信号設定区間において、設定された切り欠き１０３のパターンを有するように、交流電圧１０２の導通を制御する。本実施形態では、切り欠き１０３のパターンが、光量を示す第１パターンと、光色を示す第２パターンとを含む。
【０１４０】
図１６（ｂ）は、制御信号設定区間における照明制御装置３の出力波形の一例を示す。即ち、図１６（ｂ）は、制御信号設定区間においてスイッチ部３０１を通過した交流電圧１０２の波形の一例を示す。スイッチ部３０１が交流電圧１０２を一時的に遮断することにより、図１６（ｂ）に示すように、交流電圧１０２の波形に切り欠き１０３が形成される。そして、スイッチ部３０１を通過した交流電圧１０２が、電力供給装置４へ伝送される。
【０１４１】
電力供給装置４は、スイッチ部３０１を通過した交流電圧１０２の波形に従い、照明器具５の整流回路５０６へ伝送される交流電圧１０２の導通を制御する。この結果、照明器具５の整流回路５０６に、切り欠き１０３のパターンに対応する切り欠き１０４のパターンを有する交流電圧１０２が供給される。本実施形態では、照明器具５の整流回路５０６へ伝送される交流電圧１０２の波形は、スイッチ部３０１を通過した交流電圧１０２と同じ波形を有する。
【０１４２】
整流回路５０６は、電力供給装置４（制御用スイッチ部４１０又は短絡用スイッチ部４１４）を介して伝送された交流電圧１０２を整流する。図１６（ｃ）は、整流回路５０６の出力（整流後の電圧１１８）の一例を示す。平滑回路５０８は、整流回路５０６の出力を平滑化する。図１６（ｄ）は、平滑回路５０８の出力の一例を示す。図１６（ｄ）に示すように、平滑回路５０８により直流電圧１２０が得られる。したがって、平滑回路５０８から各定電流回路５１０（５１０ａ、５１０ｂ）へ直流電圧１２０が供給される。
【０１４３】
一方、信号生成部５０４には、整流回路５０６による整流後の電圧１１８が伝送される。信号生成部５０４は、電圧１１８の波形が有する切り欠き１０４のパターンに基づいて制御信号１２６ａ、１２６ｂの波形（パルス電圧のパルス幅）を変更する。
【０１４４】
本実施形態では、図１４及び図１５を参照して説明したように、信号生成部５０４の２値化回路５２４が、切り欠き１０４のパターンに応じたパルス信号１１４を生成する。そして、信号生成部５０４の制御部５２６が、パルス信号１１４のパルス幅（第３のパルス幅Ｗ１１及び第４のパルス幅Ｗ１２）に従い、デジタル信号を生成する。詳しくは、制御部５２６は、光量を示す第１パターンの切り欠き１０４に対応する第１デジタル信号と、光色を示す第２パターンの切り欠き１０４に対応する第２デジタル信号とを生成する。
【０１４５】
そして、制御部５２６は、第１デジタル信号の内容（第１データコード）及び第２デジタル信号の内容（第２データコード）に基づいて、各定電流回路５１０（５１０ａ、５１０ｂ）の動作を制御する制御信号１２６ａ、１２６ｂ（パルス電圧）を生成する。つまり、制御部５２６は、各定電流回路５１０（５１０ａ、５１０ｂ）へ伝送するパルス電圧のパルス幅（制御信号１２６ａ、１２６ｂの波形）を決定する。
【０１４６】
これにより、切り欠き１０３（切り欠き１０４）のパターンに応じて、第１定電流回路５１０ａ及び第２定電流回路５１０ｂへ送信される制御信号１２６ａ、１２６ｂのうちの少なくとも一方の波形（パルス電圧のパルス幅）が変更される。制御信号１２６ａ、１２６ｂは、点灯負荷５２０の光量及び光色をそれぞれ第１データコード及び第２データコードに応じたレベルにする信号である。
【０１４７】
また制御部５２６は、第１データコード及び第２データコードをメモリー５２７に記憶させる。そして、制御部５２６は、次に照明制御装置３が交流電圧１０２の波形に切り欠き１０３を形成するまで、決定されたパルス幅を有する各制御信号１２６ａ、１２６ｂ（各パルス電圧）を、対応する定電流回路５１０へそれぞれ送信し続ける。
【０１４８】
なお、上述したように、照明制御装置３の制御部３０９は、電源投入直後及び制御信号設定区間の終了直後は交流電圧１０２の波形に切り欠き１０３を形成せずに、パルス信号１１４のパルス幅を複数回連続して第３のパルス幅Ｗ１１にする。
【０１４９】
具体的には、照明制御装置３の制御部３０９は、交流電圧１０２の半波のうち、照明制御装置３の起動直後及び制御信号設定区間の終了直後の所定数の半波に切り欠き１０３を形成しない仕様となっている。この結果、照明制御装置３の起動直後及び制御信号設定区間の終了直後は、デジタル信号の値が所定数連続して「０」となる。照明器具５（信号生成部５０４）の制御部５２６は、デジタル信号の値が所定数以上連続して「０」となったとき、待機モードに遷移する。待機モードに遷移した制御部５２６は、パルス信号１１４のパルス幅が第４のパルス幅Ｗ１２となったとき、即ちデジタル信号の値が「１」となったとき、制御信号設定区間が開始されたと判断する。
【０１５０】
図１７（ａ）は第１定電流回路５１０ａへ伝送される制御信号１２６ａの一例を示し、図１７（ｂ）は第２定電流回路５１０ｂへ伝送される制御信号１２６ｂの一例を示している。図１７（ａ）及び図１７（ｂ）に示すように、制御信号１２６ａ、１２６ｂは、切り欠き１０４（切り欠き１０３）のパターンに基づいてパルス幅が調整されたパルス電圧である。図１７（ａ）及び図１７（ｂ）に示す例では、時刻ｔ１において、制御信号１２６ａ、１２６ｂ（パルス電圧）のパルス幅が変化している。このパルス幅の変化により、点灯負荷５２０から発生する光の光量及び光色が、入力部３０５を介して入力された変更の指示に応じた光量及び光色に調節される。
【０１５１】
具体的には、制御信号１２６ａ、１２６ｂによって、各色のＬＥＤ５２２ａ、５２２ｂに流れる電流の割合が制御されて、点灯負荷５２０から発生する光（混光）の光色が調節される。また、制御信号１２６ａ、１２６ｂによって、各色のＬＥＤ５２２ａ、５２２ｂに流れる電流の合計値が制御されて、点灯負荷５２０から発生する光（混光）の光量が調節される。つまり、信号生成部５０４は、２色のＬＥＤ５２２ａ、５２２ｂに流れる電流の割合、及び２色のＬＥＤ５２２ａ、５２２ｂに流れる電流の合計値を制御して、調光調色制御を実行している。
【０１５２】
このように、信号生成部５０４は、各色のＬＥＤ５２２ａ、５２２ｂに供給される電力を個別に制御して、点灯負荷５２０から発生する光の光量及び光色を、切り欠き１０３（切り欠き１０４）のパターンに応じた光量及び光色にする。
【０１５３】
なお、照明制御装置３の起動時には、照明制御装置３（制御部３０９）は、メモリー３１０に記憶された光量及び光色の情報を読み出して切り欠き１０３のパターンを設定する。照明制御装置３の起動時に読み出される光量及び光色の情報の内容は規定値であってもよいし、ユーザーがメモリー３１０に記憶させた値であってもよい。
【０１５４】
以上のように本実施形態によれば、点灯負荷５２０から発生する光の光量及び光色を設定する信号が、送り線７４ａ、７４ｂを介して照明器具５へ送られる。したがって、専用の信号線を敷設することなく、調光調色制御を行うことができる。
【０１５５】
更に本実施形態によれば、短絡用スイッチ部４１４が、制御信号設定区間以外の区間（通常点灯時）において導通状態を維持する。短絡用スイッチ部４１４は、制御用スイッチ部４１０よりも低い抵抗値を有している。よって、通常点灯時は、制御用スイッチ部４１０が導通状態であっても、交流電圧１０２は短絡用スイッチ部４１４を介して照明器具５へ伝送される。したがって、照明器具５へ送る電力の損失を抑制できる。
【０１５６】
なお本実施形態では、第１のパルス幅Ｗ１に対応して値が「０」となり、第２のパルス幅Ｗ２に対応して値が「１」となるデジタル信号を発生させる場合について説明したが（図１０参照）、第１のパルス幅Ｗ１に対応して値が「１」となり、第２のパルス幅Ｗ２に対応して値が「０」となるデジタル信号を発生させてもよい。同様に、本実施形態では、第３のパルス幅Ｗ１１に対応して値が「０」となり、第４のパルス幅Ｗ１２に対応して値が「１」となるデジタル信号を発生させる場合について説明したが（図１５参照）、第３のパルス幅Ｗ１１に対応して値が「１」となり、第４のパルス幅Ｗ１２に対応して値が「０」となるデジタル信号を発生させてもよい。
【０１５７】
また本実施形態では、照明器具５の制御部５２６は、デジタル信号の値が所定数以上連続して「０」となったとき、待機モードに遷移したが、制御部５２６を待機モードに遷移させるデジタル信号の値は、所定数以上連続する「０」に限定されるものではない。例えば、制御信号設定区間の開始を予告するために、特定のパターンの切り欠き１０４（切り欠き１０３）が交流電圧１０２の波形に形成されてもよい。
【０１５８】
（実施形態２）
以下、本発明の実施形態２について、図１８及び図１９を参照して説明する。図１８は、実施形態２に係る照明システム１の概略構成を示す。図１８に示すように、実施形態２に係る照明システム１は、複数の照明器具５ａを備える点で、実施形態１と異なる。
【０１５９】
図１９は、照明器具５ａの要部を示すブロック図である。照明器具５ａは、２つの出力端子５２ａ、５２ｂを備える点で、実施形態１の照明器具５と異なる。出力端子５２ａ、５２ｂは、電力線である配線５３ａ、５３ｂを介して、入力端子５１ａ、５１ｂと電気的に接続している。
【０１６０】
入力端子５１ａ、５１ｂは、送り線７４ａ、７４ｂを介して、前段の電力供給装置４の出力端子４２ａ、４２ｂ（図２参照）又は前段の照明器具５ａの出力端子５２ａ、５２ｂと電気的に接続している。
【０１６１】
つまり、各照明器具５ａは、電力供給装置４を介して、電力線７ａ、７ｂに並列に接続されており、各照明器具５ａから発生する光の光量及び光色を設定する信号（切り欠き１０４のパターンを有する交流電圧１０２の波形）が、電力供給装置４から送り線７４ａ、７４ｂを介して各照明器具５ａへ一括して送信される。
【０１６２】
以上のように、本実施形態によれば、制御用の信号線を敷設することなく、１つの照明制御装置３によって、複数の照明器具５ａから発生する光の光量及び光色を一括して制御することができる。
【０１６３】
また、一般的なトライアック調光方式では、上述したように、照明器具へ供給する電力の損失が問題となる。これは、負荷容量が制限されることを意味する。つまり、１つの照明制御装置によって制御できる照明器具の台数が制限される。これに対し、本実施形態によれば、通常点灯時は、交流電圧１０２が短絡用スイッチ部４１４を通過する。したがって、電力の損失を抑制できることから、１つの電力供給装置４に接続できる照明器具５ａの台数の増加を図ることができる。即ち、１つの照明制御装置３によって制御できる照明器具５ａの台数の増加を図ることができる。
【０１６４】
（実施形態３）
以下、本発明の実施形態３について、図２０を参照して説明する。実施形態３は、照明システム１が２系統５０１、５０１の照明器具群を備える点で、実施形態１、２と異なる。
【０１６５】
図２０は、実施形態３に係る照明システム１の概略構成を示す。図２０に示すように、照明システム１は、２系統５０１、５０１の照明器具群を備える。各系統５０１、５０１の照明器具群はそれぞれ、複数の照明器具５ａを含む。また照明システム１は、２つの電力供給装置４、４を備える。つまり、電力供給装置４は、系統５０１、５０１ごとに設けられる。各系統５０１、５０１に含まれる各照明器具５ａはそれぞれ、対応する電力供給装置４を介して電力線７ａ、７ｂに並列接続されている。照明制御装置３は、系統５０１、５０１ごとに、各照明器具５ａから発生する光の光量及び光色を一括して制御することができる。
【０１６６】
照明制御装置３は、２つのスイッチ部３０１、３０１、２つの入力端子３１ａ、３１ｂ、及び３つの出力端子３２ａ、３２ｂ、３２ｃを備える。詳しくは、照明制御装置３において、入力端子３１ａは、一方のスイッチ部３０１を介して、出力端子３２ａに電気的に接続している。また、入力端子３１ｂは、出力端子３２ｂに電気的に接続している。そして、照明制御装置３の出力端子３２ａ、３２ｂは、一方の電力供給装置４の入力端子４１ａ、４１ｂにそれぞれ電気的に接続している。これにより、商用電源６からの交流電圧１０２が、一方のスイッチ部３０１を介して、一方の電力供給装置４の入力端子４１ａ、４１ｂに印加される。一方の電力供給装置４は、入力端子４１ａ、４１ｂに印加された交流電圧１０２に従い、一方の系統５０１の各照明器具５ａに対して、光の光量及び光色を設定する信号を一括して送信する。よって、一方の系統５０１の照明器具群を一括して制御することができる。
【０１６７】
更に、照明制御装置３において、入力端子３１ａは、他方のスイッチ部３０１を介して、出力端子３２ｃに電気的に接続している。そして、照明制御装置３の出力端子３２ｂ、３２ｃは、他方の電力供給装置４の入力端子４１ａ、４１ｂにそれぞれ電気的に接続している。これにより、商用電源６からの交流電圧１０２が、他方のスイッチ部３０１を介して、他方の電力供給装置４の入力端子４１ａ、４１ｂに印加される。他方の電力供給装置４は、入力端子４１ａ、４１ｂに印加された交流電圧１０２に従い、他方の系統５０１の各照明器具５ａに対して、光の光量及び光色を設定する信号を一括して送信する。よって、他方の系統５０１の照明器具群を一括して制御することができる。
【０１６８】
なお、各系統５０１、５０１の照明器具群に含まれる照明器具５ａの数は複数に限定されるものではなく、各系統５０１、５０１の照明器具群はそれぞれ、１つ以上の照明器具５を含むことができる。
【０１６９】
また本実施形態では、１つの照明制御装置３によって２系統５０１、５０１の照明器具群を制御する場合について説明したが、系統の数は２系統に限定されるものではなく、照明制御装置３が備えるスイッチ部３０１、及び駆動部３０３を増加させることにより、１つの照明制御装置３によって２系統以上の照明器具群を制御することが可能となる。
【０１７０】
また本実施形態では、各系統に電力供給装置４が設けられた照明システム１について説明したが、一部の系統に対してのみ電力供給装置４が設けられてもよい。この場合、電力供給装置４が設けられていない系統に含まれる照明器具５ａは、照明制御装置３を介して電力線７ａ、７ｂに接続される。即ち、照明制御装置３が備えるスイッチ部３０１は双方向サイリスタであるため、発熱の問題から、スイッチ部３０１に接続可能な照明器具５ａの数（負荷容量）が制限される。しかし、１つの系統に含まれる照明器具５ａの数が、スイッチ部３０１に接続可能な照明器具５ａの数以内であれば、その系統に含まれる照明器具５ａを、照明制御装置３を介して電力線７ａ、７ｂに接続させることができる。したがって、１つの系統に含まれる照明器具５ａの数によって、電力供給装置４を敷設するか否かを判断してもよい。
【０１７１】
以上、本発明の具体的な実施形態を説明したが、本発明は上記各実施形態に限定されるものではなく、上記各実施形態に種々の改変を施すことができる。
【０１７２】
例えば、上記各実施形態では、商用電源６から電力が供給されたが、電力線７ａ、７ｂに電力を供給する外部電源は商用電源６に限定されるものではなく、自家発電機等であってもよい。また、外部電源はＡＣ電源に限定されるものではなく、直流電源であってもよい。この場合、スイッチ部３０１、及び制御用スイッチ部４１０は、直流電圧の波形が切り欠きを有するように、直流電圧の導通を制御する。ここで、切り欠きは、互いに幅が異なる２種類の切り欠きを含む。あるいは、切り欠きは、互いに深さ（電圧値）が異なる２種類の切り欠きを含む。直流電源は、例えばソーラーパネルである。
【０１７３】
また上記各実施形態では、点灯負荷５２０が、照明素子として、互いに光色の異なる光を出射する２色のＬＥＤ５２２（５２２ａ、５２２ｂ）を有したが、点灯負荷５２０は１色のＬＥＤ５２２のみを有してもよい。この場合、調光制御のみが実施される。
【０１７４】
また上記各実施形態では、照明素子がＬＥＤ５２２であったが、照明素子はＬＥＤ５２２に限定されるものではなく、例えば有機ＥＬ素子であってもよい。
【０１７５】
また上記各実施形態では、２色のＬＥＤを使用する場合について説明したが、色数は特に限定されるものではなく、調色を実現するために３色以上のＬＥＤが使用されてもよい。
【０１７６】
また上記各実施形態では、照明制御装置３が、光量及び光色を設定する信号（調光調色用の切り欠き１０３のパターン）を送信する場合について説明したが、照明制御装置３から送信される信号は、光量及び光色を設定する信号とは異なる信号（切り欠きのパターン）を含んでもよい。例えば、照明器具５、５ａにアドレスが設定されている場合、照明制御装置３から送信される信号は、アドレスを示す信号（アドレスを示す切り欠きのパターン）を含んでもよい。この場合、照明器具５、５ａは、交流電圧１０２の波形が、自己に設定されたアドレスに対応する切り欠き１０４のパターンを有する場合に、光量及び光色を設定する信号を受け付ける構成としてもよい。また例えば、照明制御装置３から送信される信号は、タイマーをセットする信号（タイマー用の切り欠きのパターン）を含んでもよい。タイマーをセットする信号は、例えば、設定された時間後に照明器具５、５ａを消灯させる信号である。
【０１７７】
また、上記各実施形態では、照明制御装置３のスイッチ部３０１が交流電圧１０２の波形に形成する切り欠き１０３のパターンと、電力供給装置４の制御用スイッチ部４１０が交流電圧１０２の波形に形成する切り欠き１０４のパターンとが同一である場合について説明したが、スイッチ部３０１は、制御用スイッチ部４１０が形成する切り欠き１０４のパターンとは異なる切り欠き１０３のパターンを、交流電圧１０２の波形に形成してもよい。
【０１７８】
その他にも、本発明の要旨を逸脱しない範囲で上記各実施形態に種々の改変を施すことができる。
【符号の説明】
【０１７９】
１              照明システム
３              照明制御装置
４              電力供給装置
５              照明器具
６              商用電源
３０１          スイッチ部
４１ａ、４１ｂ  入力端子
４４ａ、４４ｂ  入力端子
１０３、１０４  切り欠き
４０１          処理部
４１０          制御用スイッチ部
４１４          短絡用スイッチ部
５０２          点灯電力供給部
５０４          信号生成部
５２０          点灯負荷
【図１】
0006502112.tif 000002
【図２】
0006502112.tif 000003
【図３】
0006502112.tif 000004
【図４】
0006502112.tif 000005
【図５】
0006502112.tif 000006
【図６】
0006502112.tif 000007
【図７】
0006502112.tif 000008
【図８】
0006502112.tif 000009
【図９】
0006502112.tif 000010
【図１０】
0006502112.tif 000011
【図１１】
0006502112.tif 000012
【図１２】
0006502112.tif 000013
【図１３】
0006502112.tif 000014
【図１４】
0006502112.tif 000015
【図１５】
0006502112.tif 000016
【図１６】
0006502112.tif 000017
【図１７】
0006502112.tif 000018
【図１８】
0006502112.tif 000019
【図１９】
0006502112.tif 000020
【図２０】
0006502112.tif 000021